(57)【要約】      （修正有）【課題】外気の影響を受けず、光による退色を正確に判定できる耐候（光）試験機を提供すること。【解決手段】試験槽１内に、人工光源を設けた耐候（光）試験機１６であって、外気取入口４を設けた空気調節弁５を開閉して試験槽内温度を調節する耐候（光）試験機において、空気調節弁の外気取入口４に空気清浄フィルタ７及び送風機を有し、外気導入時に、外気取入口の送風機２が、試験槽下部の送風機と同じ風量で送風するための風量制御手段を有する。【選択図】図１
0003110204.tif 000002
【実用新案登録請求の範囲】
【請求項１】
試験槽内に、人工光源を設けた耐候（光）試験機であって、外気取入口を設けた空気調節弁を開閉して試験槽内温度を調節する耐候（光）試験機において、空気調節弁の外気取入口に空気清浄フィルタ及び送風機を有することを特徴とする耐候（光）試験機。
【請求項２】
試験槽内に、人工光源を設けた耐候（光）試験機であって、外気取入口を設けた空気調節弁を開閉して試験槽内温度を調節する耐候（光）試験機において、空気調節弁の外気取入口に空気清浄フィルタ及び送風機を有し、外気を挿入して室内温度を調節し、試験槽内の調節した温度条件を変化せず更に新しい空気を挿入することができる劣化装置であることを特徴とする耐候（光）試験機。
【請求項３】
試験槽内に、人工光源を設けた耐候（光）試験機であって、外気取入口を設けた空気調節弁を開閉して試験槽内温度を調節する耐候（光）試験機において、空気調節弁の外気取入口に空気清浄フィルタ及び送風機を有し、外気導入時に、外気取入口の送風機が、試験槽下部の送風機と同じ風量で送風するための風量制御手段を有することを特徴とする耐候（光）試験機。
【考案の詳細な説明】
【技術分野】
【０００１】
本考案は、耐候（光）試験機に関する。更に詳しくは、試料の劣化を調べる耐候（光）試験機に関するものである。
【背景技術】
【０００２】
従来の耐候（光）試験機では、外気を取り入れて試験槽下部の送風機により試験槽内に送り込んで試験槽内の温度調節を行っていた（例えば、特許文献１参照）。
【特許文献１】特許第３２９１５１９号（図１)
【０００３】
情報記録紙の耐候(光)試験をするにあたって、色の退色を調べるため、三原色、例えば、シアン、マゼンタ、イエローを単独に紙に印刷して調べることがある。
【０００４】
シアン、マゼンタ、イエローのうち、シアンはオゾンに弱く、外気中の微量なオゾンにおいても退色してしまう。
【考案の開示】
【考案が解決しようとする課題】
【０００５】
しかし、従来の耐候（光）試験機では、ごみ取り用のフィルタを取付けて外気を取り入れているため、取り入れた外気中にオゾンやＳＯ２やＮＯ２などのガスが含まれる。このため、シアンの退色試験等、すなわちオゾン等による退色がある材料に対する試験で得られた結果が、外気のオゾンの影響か、人工光源の光による影響か分からないことがあり、判定に苦慮することがあった。
【０００６】
本考案が解決しようとする問題点は、オゾン、ＳＯ２、ＮＯ２などのガスの影響を受けやすい材料の試験において、オゾン、ＳＯ２、ＮＯ２などのガスの影響で退色したのか、光によって退色したのか判定がしにくい点である。
【０００７】
本考案は、かかる問題を鑑みてなされたものであり、したがって、本考案の目的は、外気の影響を受けず、光による退色を正確に判定できる耐候（光）試験機を提供することにある。
【課題を解決するための手段】
【０００８】
上記目的を達成するために、本考案の耐候（光）試験機は、試験槽内に、人工光源を設けた耐候（光）試験機であって、外気取入口を設けた空気調節弁を開閉して試験槽内温度を調節する耐候（光）試験機において、空気調節弁の外気取入口に空気清浄フィルタ及び送風機を有するものである。
【０００９】
また、本考案の耐候（光）試験機は、試験槽内に、人工光源を設けた耐候（光）試験機であって、外気取入口を設けた空気調節弁を開閉して試験槽内温度を調節する耐候（光）試験機において、空気調節弁の外気取入口に空気清浄フィルタ及び送風機を有し、外気を挿入して室内温度を調節し、試験槽内の調節した温度条件を変化せず更に新しい空気を挿入することができる劣化装置であることを特徴とすることが好ましい。
【００１０】
試験槽内に、人工光源を設けた耐候（光）試験機であって、外気取入口を設けた空気調節弁を開閉して試験槽内温度を調節する耐候（光）試験機において、空気調節弁の外気取入口に空気清浄フィルタ及び送風機を有し、外気導入時に、外気取入口の送風機が、試験槽下部の送風機と同じ風量で送風するための風量制御手段を有することが好ましい。
【考案の効果】
【００１１】
本考案の耐候（光）試験機は、上述したとおりであるので、オゾンの影響を受けやすい材料の試験においても、外気の影響を受けず、光による退色を正確に判定できる。
【考案を実施するための最良の形態】
【００１２】
本考案の最良の実施例について、以下に図を用いて詳細に述べる。
【実施例１】
【００１３】
図１は、本考案の耐候（光）試験機の実施例１の概略図である。
【００１４】
図１に示した本考案の実施例１の耐候（光）試験機（１６）は、試験槽（１）、空気調節弁（５）を有する。試験槽（１）内に、人工の光源（６）を設けてある。空気調節弁（５）には試験槽内温度を調節するために、外気取入口（４）を設けてあり、空気調節弁（５）は開閉自在である。空気調節弁（５）の外気取入口（４）には空気清浄フィルタ（７）と送風機Ａ（２）を有する。また、試験槽（１）の下には、試験槽内空気を循環させる送風機Ｂ（３）を有する。
【００１５】
本考案の実施例１の耐候（光）試験機（１６）は、外気導入時に、外気取入口（４）の送風機Ａ（２）が、試験槽下部の送風機Ｂ（３）と同じ風量で送風するための風量制御手段を有する。
【００１６】
空気清浄フィルタ（７）には、たとえば、オゾンを除去したい場合は活性炭フィルタを用い、ＳＯ２やＮＯ２などのガスを除去したい場合は、そのガスを吸着又は化学反応させる触媒フィルタを用いる。
【００１７】
試験槽内温度は、温度センサ（８）で試験槽内温度を感知し、温度調節器（９）の設定値と比較し、試験槽内温度を下げたいときは、空気調節弁（５）に調節弁を開く信号を送信して行う。当該信号に同期させて送風機Ａ（２）を作動させて空気調節弁（５）の外気取入口（４）より清浄な空気を送り込む。清浄な空気とは、オゾン、ＳＯ２、ＮＯ２などのガスを除去した空気をいう。
【００１８】
送風機Ａ（２）は、試験槽内空気を循環させる送風機Ｂ（３）の風量と同じ風量に調整されている。送風機Ａ（２）は、フィルタを通過できるだけの静圧を有する。送風機Ａ（２）を空気清浄フィルタ（７）に取付け、試験槽内温度コントロール信号に同期させて、外気取入れが必要なときのみ送風機Ａ（２）を動作させ、清浄な空気を試験槽内に送り込む。
【００１９】
本考案の耐候（光）試験機の実施例１では、送風機Ａ（２）によって、空気清浄フィルタ（７）による圧力損失を防止できる。
【００２０】
送風機Ａ（２）がないと、空気清浄フィルタ（７）によって、外気と試験槽内雰囲気との間に圧力差を生じることになる。この圧力差により、送風機Ｂ（３）を通して試験槽内に送られる風量が温度調節に必要な量より少なくなって、温度調節に時間がかかってしまう。
【００２１】
本考案の耐候（光）試験機の実施例１では、送風機Ａ（２）によって、送風機Ｂ（３）の風量と同じ風量の外気が空気清浄フィルタ（７）に吹き付けられるため、圧力損失が生じず、温度調節に必要な量の風を試験槽内に送り込むことができるので、温度調節が速やかにできる。
【００２２】
したがって、本考案の耐候（光）試験機の実施例１では、外気を挿入して室内温度を調節し、調節した室内温度条件を変化せず更に新しい空気を挿入することができる。
【００２３】
シアンについて従来方式の耐候（光）試験機と本考案の耐候（光）試験機の実施例１で比較試験をした結果を表１に示す。測定は、ＯＤ残存率とした。従来方式では、ＯＤ残存率の約３％分は、外気の影響であり、正確な試験ができていなかったことが判った。一方、の耐候（光）試験機の実施例１では、外気の影響がなく、正確な試験ができた。
【００２４】
【表１】
0003110204.tif 000003
【００２５】
本考案の耐候（光）試験機の実施例１においては、外気の影響を受けず、光による退色を正確に判定できる。
【図面の簡単な説明】
【００２６】
【図１】本考案の耐候（光）試験機の実施例１の概略図である。
【符号の説明】
【００２７】
１  試験槽
２  送風機Ａ
３  送風機Ｂ
４  外気取入口
５  空気調節弁
６  光源
７  空気清浄フィルタ
８  温度センサ
９  温度調節器
１０  エアヒータ
１１  空気循環風路
１２  循環ダクト
１３  湿度調整風路
１４  ヒータ加湿器
１５  ランプ冷却水冷却循環装置
１６  耐候（光）試験機
【図１】
0003110204.tif 000004
【手続補正書】
【提出日】平成17年2月17日(2005.2.17)
【手続補正２】
【補正対象書類名】実用新案登録請求の範囲
【補正対象項目名】全文
【補正方法】変更
【補正の内容】
【実用新案登録請求の範囲】
【請求項１】
試験槽内に、人工光源を設けた耐候光試験機であって、外気取入口を設けた空気調節弁を開閉して試験槽内温度を調節する耐候光試験機において、空気調節弁の外気取入口に空気清浄フィルタ及び送風機を有することを特徴とする耐候光試験機。
【請求項２】
試験槽内に、人工光源を設けた耐候光試験機であって、外気取入口を設けた空気調節弁を開閉して試験槽内温度を調節する耐候光試験機において、空気調節弁の外気取入口に空気清浄フィルタ及び送風機を有し、外気を挿入して室内温度を調節し、試験槽内の調節した温度条件を変化せず更に新しい空気を挿入することができる劣化装置であることを特徴とする耐候光試験機。
【請求項３】
試験槽内に、人工光源を設けた耐候光試験機であって、外気取入口を設けた空気調節弁を開閉して試験槽内温度を調節する耐候光試験機において、空気調節弁の外気取入口に空気清浄フィルタ及び送風機を有し、外気導入時に、外気取入口の送風機が、試験槽下部の送風機と同じ風量で送風するための風量制御手段を有することを特徴とする耐候光試験機。
【手続補正３】
【補正対象書類名】明細書
【補正対象項目名】全文
【補正方法】変更
【補正の内容】
【考案の詳細な説明】
【技術分野】
【０００１】
本考案は、耐候光試験機に関する。更に詳しくは、試料の劣化を調べる耐候光試験機に関するものである。
【背景技術】
【０００２】
従来の耐候光試験機では、外気を取り入れて試験槽下部の送風機により試験槽内に送り込んで試験槽内の温度調節を行っていた（例えば、特許文献１参照）。
【特許文献１】特許第３２９１５１９号（図１)
【０００３】
情報記録紙の耐候光試験機をするにあたって、色の退色を調べるため、三原色、例えば、シアン、マゼンタ、イエローを単独に紙に印刷して調べることがある。
【０００４】
シアン、マゼンタ、イエローのうち、シアンはオゾンに弱く、外気中の微量なオゾンにおいても退色してしまう。
【考案の開示】
【考案が解決しようとする課題】
【０００５】
しかし、従来の耐候光試験機では、ごみ取り用のフィルタを取付けて外気を取り入れているため、取り入れた外気中にオゾンやＳＯ２やＮＯ２などのガスが含まれる。このため、シアンの退色試験等、すなわちオゾン等による退色がある材料に対する試験で得られた結果が、外気のオゾンの影響か、人工光源の光による影響か分からないことがあり、判定に苦慮することがあった。
【０００６】
本考案が解決しようとする問題点は、オゾン、ＳＯ２、ＮＯ２などのガスの影響を受けやすい材料の試験において、オゾン、ＳＯ２、ＮＯ２などのガスの影響で退色したのか、光によって退色したのか判定がしにくい点である。
【０００７】
本考案は、かかる問題を鑑みてなされたものであり、したがって、本考案の目的は、外気の影響を受けず、光による退色を正確に判定できる耐候光試験機を提供することにある。
【課題を解決するための手段】
【０００８】
上記目的を達成するために、本考案の耐候光試験機は、試験槽内に、人工光源を設けた耐候光試験機であって、外気取入口を設けた空気調節弁を開閉して試験槽内温度を調節する耐候光試験機において、空気調節弁の外気取入口に空気清浄フィルタ及び送風機を有するものである。
【０００９】
また、本考案の耐候光試験機は、試験槽内に、人工光源を設けた耐候光試験機であって、外気取入口を設けた空気調節弁を開閉して試験槽内温度を調節する耐候光試験機において、空気調節弁の外気取入口に空気清浄フィルタ及び送風機を有し、外気を挿入して室内温度を調節し、試験槽内の調節した温度条件を変化せず更に新しい空気を挿入することができる劣化装置であることを特徴とすることが好ましい。
【００１０】
試験槽内に、人工光源を設けた耐候光試験機であって、外気取入口を設けた空気調節弁を開閉して試験槽内温度を調節する耐候光試験機において、空気調節弁の外気取入口に空気清浄フィルタ及び送風機を有し、外気導入時に、外気取入口の送風機が、試験槽下部の送風機と同じ風量で送風するための風量制御手段を有することが好ましい。
【考案の効果】
【００１１】
本考案の耐候光試験機は、上述したとおりであるので、オゾンの影響を受けやすい材料の試験においても、外気の影響を受けず、光による退色を正確に判定できる。
【考案を実施するための最良の形態】
【００１２】
本考案の最良の実施例について、以下に図を用いて詳細に述べる。
【実施例１】
【００１３】
図１は、本考案の耐候光試験機の実施例１の概略図である。
【００１４】
図１に示した本考案の実施例１の耐候光試験機（１６）は、試験槽（１）、空気調節弁（５）を有する。試験槽（１）内に、人工の光源（６）を設けてある。空気調節弁（５）には試験槽内温度を調節するために、外気取入口（４）を設けてあり、空気調節弁（５）は開閉自在である。空気調節弁（５）の外気取入口（４）には空気清浄フィルタ（７）と送風機Ａ（２）を有する。また、試験槽（１）の下には、試験槽内空気を循環させる送風機Ｂ（３）を有する。
【００１５】
本考案の実施例１の耐候光試験機（１６）は、外気導入時に、外気取入口（４）の送風機Ａ（２）が、試験槽下部の送風機Ｂ（３）と同じ風量で送風するための風量制御手段を有する。
【００１６】
空気清浄フィルタ（７）には、たとえば、オゾンを除去したい場合は活性炭フィルタを用い、ＳＯ２やＮＯ２などのガスを除去したい場合は、そのガスを吸着又は化学反応させる触媒フィルタを用いる。
【００１７】
試験槽内温度は、温度センサ（８）で試験槽内温度を感知し、温度調節器（９）の設定値と比較し、試験槽内温度を下げたいときは、空気調節弁（５）に調節弁を開く信号を送信して行う。当該信号に同期させて送風機Ａ（２）を作動させて空気調節弁（５）の外気取入口（４）より清浄な空気を送り込む。清浄な空気とは、オゾン、ＳＯ２、ＮＯ２などのガスを除去した空気をいう。
【００１８】
送風機Ａ（２）は、試験槽内空気を循環させる送風機Ｂ（３）の風量と同じ風量に調整されている。送風機Ａ（２）は、フィルタを通過できるだけの静圧を有する。送風機Ａ（２）を空気清浄フィルタ（７）に取付け、試験槽内温度コントロール信号に同期させて、外気取入れが必要なときのみ送風機Ａ（２）を動作させ、清浄な空気を試験槽内に送り込む。
【００１９】
本考案の耐候光試験機の実施例１では、送風機Ａ（２）によって、空気清浄フィルタ（７）による圧力損失を防止できる。
【００２０】
送風機Ａ（２）がないと、空気清浄フィルタ（７）によって、外気と試験槽内雰囲気との間に圧力差を生じることになる。この圧力差により、送風機Ｂ（３）を通して試験槽内に送られる風量が温度調節に必要な量より少なくなって、温度調節に時間がかかってしまう。
【００２１】
本考案の耐候光試験機の実施例１では、送風機Ａ（２）によって、送風機Ｂ（３）の風量と同じ風量の外気が空気清浄フィルタ（７）に吹き付けられるため、圧力損失が生じず、温度調節に必要な量の風を試験槽内に送り込むことができるので、温度調節が速やかにできる。
【００２２】
したがって、本考案の耐候光試験機の実施例１では、外気を挿入して室内温度を調節し、調節した室内温度条件を変化せず更に新しい空気を挿入することができる。
【００２３】
シアンについて従来方式の耐候光試験機と本考案の耐候光試験機の実施例１で比較試験をした結果を表１に示す。測定は、ＯＤ残存率とした。従来方式では、ＯＤ残存率の約３％分は、外気の影響であり、正確な試験ができていなかったことが判った。一方、の耐候光試験機の実施例１では、外気の影響がなく、正確な試験ができた。
【００２４】
【表１】
0003110204.tif 000005
【００２５】
本考案の耐候光試験機の実施例１においては、外気の影響を受けず、光による退色を正確に判定できる。
【図面の簡単な説明】
【００２６】
【図１】本考案の耐候光試験機の実施例１の概略図である。
【符号の説明】
【００２７】
１  試験槽
２  送風機Ａ
３  送風機Ｂ
４  外気取入口
５  空気調節弁
６  光源
７  空気清浄フィルタ
８  温度センサ
９  温度調節器
１０  エアヒータ
１１  空気循環風路
１２  循環ダクト
１３  湿度調整風路
１４  ヒータ加湿器
１５  ランプ冷却水冷却循環装置
１６  耐候光試験機